(57)【特許請求の範囲】
【請求項１】
第１の太陽光発電パネルを用いて発電した直流出力を交流出力に変換して電力系統に出力する主発電システムと、
前記第１の太陽光発電パネルよりも出力電力量が少ない第２の太陽光発電パネルを用いて発電を行って、前記主発電システムにおいて行われる制御動作の維持に必要な電力を生成する制御用発電システムと、
を備える太陽光発電システムであって、
前記制御用発電システムは、
前記第２の太陽光発電パネルと、
ブスバーを介して前記第２の太陽光発電パネルに接続された直流−交流変換器および直流−直流変換器の少なくとも一方と、
前記直流−交流変換器および前記直流−直流変換器の少なくとも一方の出力を取り出すために用いられる分電盤と、
を備え、前記分電盤を介して取り出された電力が、前記主発電システムにおいて行われる制御動作に用いられることを特徴とする太陽光発電システム。
【請求項２】
請求項１において、
前記主発電システムは、
直列および並列に接続された複数の前記第１の太陽光発電パネルと、
前記複数の第１の太陽光発電パネルの直流出力を交流出力に変換する複数のパワーコンディショナと、
前記複数のパワーコンディショナと電力系統の送電線との間に設けられた変圧器および保護装置と、
前記主発電システム全体の運転監視制御を行うシステム制御装置と、
を備え、前記パワーコンディショナ、前記保護装置、前記システム制御装置の動作電力が前記制御用発電システムから供給されることを特徴とする太陽光発電システム。
【請求項３】
請求項１または２において、
前記制御用発電システムは、前記主発電システムの施設の維持に必要な電気負荷に電力を供給することを特徴とする太陽光発電システム。
【請求項４】
請求項１〜３のいずれか一項において、
前記制御用発電システムは、前記ブスバーに接続された充放電制御回路および蓄電池を備え、
前記充放電制御回路は、前記第２の太陽光発電パネルを用いた発電によって余剰電力が生じたときに前記蓄電池を充電し、前記第２の太陽光発電パネルを用いた発電に不足電力が生じたときに前記蓄電池を放電することを特徴とする太陽光発電システム。
【請求項５】
請求項１〜３のいずれか一項において、
前記制御用発電システムは、交流電源から交流電力を供給する配電線と前記ブスバーとの間に設けられた保護装置、変圧器、交流−直流変換器を備え、
前記第２の太陽光発電パネルを用いた発電に不足電力が生じたときに、前記保護装置および前記変圧器を介して前記配電線から取り込んだ交流電力を前記交流−直流変換器で直流電力に変換して前記ブスバーに供給することを特徴とする太陽光発電システム。
【請求項６】
請求項１〜３のいずれか一項において、
前記制御用発電システムは、前記ブスバーに接続された充放電制御回路および蓄電池と、交流電源から交流電力を供給する配電線と前記ブスバーとの間に設けられた保護装置、変圧器、交流−直流変換器とを備え、
前記第２の太陽光発電パネルを用いた発電によって余剰電力が生じたときに前記充放電制御回路によって前記蓄電池を充電し、
前記第２の太陽光発電パネルを用いた発電に不足電力が生じたときに、前記充放電制御回路によって前記蓄電池を放電する動作と、前記保護装置および前記変圧器を介して前記配電線から取り込んだ交流電力を前記交流−直流変換器で直流電力に変換して前記ブスバーに供給する動作のいずれかを行うことを特徴とする太陽光発電システム。
【請求項７】
請求項１〜６のいずれか一項において、
前記第２の太陽光発電パネルの不具合時あるいは出力低下時に前記第１の太陽光発電パネルから前記ブスバーに電力を供給するための接続スイッチをさらに備えることを特徴とする太陽光発電システム。
【発明の詳細な説明】
【技術分野】
【０００１】
本発明は、太陽光発電によって得られた電力を送電線に送出する太陽光発電システムに関する。
【背景技術】
【０００２】
従来から、太陽電池を複数接続した太陽光発電パネルで直流電力を発生し、この直流電力を電力変換装置（パワーコンディショナ）によって交流電力に変換した後、変圧器や保護装置を介して電源系統に供給する太陽光発電システムが実用化されている（例えば、特許文献１〜３参照。）。このようなシステムにおいて、パワーコンディショナの制御装置や、保護装置、冷却ファン、運転監視装置、あるいは操作室のエアコン等の各種電気負荷の動作電力は、上記の太陽光発電パネルによる発電電力の一部を利用している。
【０００３】
例えば、特許文献１では、太陽電池の出力の一部を取り出して主Ｄ／Ｄコンバータを介して制御電源に供給する手法や、電源系統や交流電源から供給される交流電力を整流回路を介してＤ／Ｄコンバータに取り込み、変換された直流電力を制御電源に供給する手法や、太陽光発電システムの発電電力の一部と交流電源からの電力の両方を制御電源に供給する手法などが提案されている。
【０００４】
また、特許文献２では、太陽光発電システムの起動・停止の判断を行うためにモニター用太陽電池を併設したシステムが提案されているが、制御電源の供給については特許文献１に開示されたシステムと同様の構成が採用されている。
【０００５】
また、特許文献３では、複数の電源ユニットを併設し、直流バスを介して電力の授受を行う分散電源システムが提案されているが、その制御電源については特許文献１に開示されたシステムと同様に、各電源ユニットからの電力を部分利用する構成が採用されている。
【先行技術文献】
【特許文献】
【０００６】
【特許文献１】特開２００２−２７１９８９号公報（第４−５頁、図１−２）
【特許文献２】特開平８−９５５５号公報（第３−５頁、図１−８）
【特許文献３】特開２００５−２２４００９号公報（第３−４頁、図１）
【発明の概要】
【発明が解決しようとする課題】
【０００７】
ところで、上述した各特許文献に開示された従来構成における制御電源に対する電力供給方式には以下に示す問題がある。
（１）太陽光発電システムの発電電力の一部を制御用電力や施設の各種電気負荷の動作電力として用いる場合には、これら制御用電力や電気負荷の動作電力が変動すると、取り出して利用可能な出力電力も変動することになり、出力電力が安定しない。
（２）太陽光発電システムの発電電力の一部を制御用電力に利用するシステムにおいては、夜間、曇りや雨天等、あるいは建物や木々の影等での日照不足により発電量が低下した場合の制御用電力の確保が困難となる。
（３）一般電力事業者等、他の発電システムから送電される交流電源を利用するシステムにおいては、停電時に必要な制御用電力を確保できない。
（４）太陽光発電システムを故障や保守点検等の何らかの理由で停止あるいは待機させる場合、制御用電力のみ供給することがあるが、太陽光発電システムの発電電力の一部を制御用電力に利用する場合には、制御用電力を確保するために太陽光発電システムを用いて無駄な発電を行うことになる。特に、メガソーラ発電では電圧レベル、電流レベルが高いため、太陽光パネルの全量発電状態で保守点検を行うことは安全上望ましくない。
（５）従来の太陽光発電システムでは、設備の建設に必要な工事用電力は、他の一般電力の購入や石油燃料利用の発電機出力を利用しており、工事費が上昇する原因のひとつになっていた。
（６）従来の太陽光発電システムでは、発電電力を増大させるために設備を増設する場合に、同時にこの増設分の制御用電源の増設も合わせて行う必要があり、発電電力増加のための建設費がかさむことになる。
【０００８】
本発明は、このような点に鑑みて創作されたものであり、その目的は、出力電力を安定させることができる太陽光発電システムを提供することにある。また、本発明の他の目的は、夜間や日照不足時、あるいは停電時にも確実に制御用電力を確保することができる太陽光発電システムを提供することにある。また、本発明の他の目的は、保守点検時に発電を完全に停止させることができる太陽光発電システムを提供することにある。また、本発明の他の目的は、太陽光発電システムの建設において、制御用電力の発電設備を先に建設することにより、その出力を発電出力取り出し用の発電システム（主発電システム）の建設における工事用電力として利用可能とすることで、工事費の上昇を抑えることができる太陽光発電システムを提供することにある。また、本発明の他の目的は、発電量増加に伴う建設費の上昇を抑えることができる太陽光発電システムを提供することにある。
【課題を解決するための手段】
【０００９】
上述した課題を解決するために、本発明の太陽光発電システムは、第１の太陽光発電パネルを用いて発電した直流出力を交流出力に変換して電力系統に出力する主発電システムと、第１の太陽光発電パネルよりも出力電力量が少ない第２の太陽光発電パネルを用いて発電を行って、主発電システムにおいて行われる制御動作の維持に必要な電力を生成する制御用発電システムとを備えている。
【００１０】
主発電システムとは別に制御用発電システムを備えることにより、主発電システムの制御用電力が変動しても主発電システムから取り出して利用可能な出力電力を安定させることができる。また、太陽光発電パネルを用いた制御用発電システムによって制御用電力を生成しているため、一般電力事業者等、他の発電システムから送電される交流電源を利用する必要がなく、停電時にも確実に制御用電力を確保することができる。また、主発電システムの保守点検等を行う場合に必要な電力を制御用発電システムから供給することができるため、主発電システムによる発電を完全に停止させることができる。また、太陽光発電システムを建設する場合において、制御用発電システムを先に建設することにより、その出力を主発電システムの建設における工事用電力として利用することが可能となり、工事費の上昇を抑えることができる。さらに、発電電力を増加させるために主発電システムの設備を増設する場合であっても、制御用発電システムはそのまま用いることができるため、主発電システムの発電量増加に伴う建設費の上昇を抑えることができる。
【００１１】
また、上述した主発電システムは、直列および並列に接続された複数の第１の太陽光発電パネルと、複数の第１の太陽光発電パネルの直流出力を交流出力に変換する複数のパワーコンディショナと、複数のパワーコンディショナと電力系統の送電線との間に設けられた変圧器および保護装置と、主発電システム全体の運転監視制御を行うシステム制御装置とを備え、パワーコンディショナ、保護装置、システム制御装置の動作電力が制御用発電システムから供給されることが望ましい。これにより、主発電システムの太陽光発電パネルの出力を、所望の電圧値を有する交流電力に変換して電力系統の送電線に送出することができるとともに、この交流電力の生成に必要な制御用電力を制御用発電システムから供給することが可能となる。
【００１２】
また、上述した制御用発電システムは、主発電システムの施設の維持に必要な電気負荷に電力を供給することが望ましい。制御用電力とともに、変動が大きい施設維持に必要な電気負荷の電力を制御用発電システムから供給することにより、主発電システムから取り出して利用可能な出力電力をさらに安定させることができる。
【００１３】
また、上述した制御用発電システムは、第２の太陽光発電パネルと、ブスバーを介して第２の太陽光発電パネルに接続された直流−交流変換器および直流−直流変換器の少なくとも一方と、これらの出力を取り出すために用いられる分電盤とを備え、分電盤を介して取り出された電力が、主発電システムにおいて行われる制御動作に用いられる。これにより、主発電システムにおいて必要な各種電圧値の直流／交流電力を生成することが可能になる。
【００１４】
また、上述した制御用発電システムは、ブスバーに接続された充放電制御回路および蓄電池を備え、充放電制御回路は、第２の太陽光発電パネルを用いた発電によって余剰電力が生じたときに蓄電池を充電し、第２の太陽光発電パネルを用いた発電に不足電力が生じたときに蓄電池を放電することが望ましい。これにより、夜間や日照不足時に蓄電池を用いて制御用電力の生成動作を維持することができ、確実に制御用電力を確保することができる。
【００１５】
また、上述した制御用発電システムは、交流電源から交流電力を供給する配電線とブスバーとの間に設けられた保護装置、変圧器、交流−直流変換器を備え、第２の太陽光発電パネルを用いた発電に不足電力が生じたときに、保護装置および変圧器を介して配電線から取り込んだ交流電力を交流−直流変換器で直流電力に変換してブスバーに供給することが望ましい。これにより、夜間や日照不足時に制御用電力が不足した場合のみ配電線から取り込んだ電力を利用して制御用電力の生成動作を維持することができ、確実に制御用電力を確保することができる。
【００１６】
また、上述した制御用発電システムは、ブスバーに接続された充放電制御回路および蓄電池と、交流電源から交流電力を供給する配電線とブスバーとの間に設けられた保護装置、変圧器、交流−直流変換器とを備え、第２の太陽光発電パネルを用いた発電によって余剰電力が生じたときに充放電制御回路によって蓄電池を充電し、第２の太陽光発電パネルを用いた発電に不足電力が生じたときに、充放電制御回路によって蓄電池を放電する動作と、保護装置および変圧器を介して配電線から取り込んだ交流電力を交流−直流変換器で直流電力に変換してブスバーに供給する動作のいずれかを行うことが望ましい。これにより、夜間や日照不足時に蓄電池を用いて、あるいは、配電線から取り込んだ電力を利用して制御用電力の生成動作を維持することができ、確実に制御用電力を確保することができる。また、蓄電池に蓄えた電力量が不足する場合に、配電線から取り込んだ電力を利用するようにすれば、蓄電池の小型化が可能となる。
【００１７】
また、上述した第２の太陽光発電パネルの不具合時あるいは出力低下時に第１の太陽光発電パネルからブスバーに電力を供給するための接続スイッチをさらに備えることが望ましい。制御用発電システム内の太陽光発電パネルの不具合時等に応急処置として主発電システム内の太陽光発電パネルから電力を供給することにより、主発電システムによる発電を維持することができる。
【図面の簡単な説明】
【００１８】
【図１】一実施形態の太陽光発電システムの基本構成を示すブロック図である。
【図２】太陽光発電パネルの構成を示す図である。
【図３】パワーコンディショナの基本的構成を示す図である。
【図４】変形例の太陽光発電システムの構成を示すブロック図である。
【図５】他の変形例の太陽光発電システムの構成を示すブロック図である。
【図６】他の変形例の太陽光発電システムの構成を示すブロック図である。
【図７】他の変形例の太陽光発電システムの構成を示すブロック図である。
【発明を実施するための形態】
【００１９】
以下、本発明を適用した一実施形態の太陽光発電システムについて、図面を参照しながら説明する。
【００２０】
図１は、一実施形態の太陽光発電システムの基本構成を示すブロック図である。図１に示すように、本実施形態の太陽光発電システムは、発電した直流出力を交流出力に変換して電力系統に出力する主発電システム１０と、主発電システム１０において行われる制御動作の維持に必要な電力を生成する制御用発電システム２０とを含んで構成されている。具体的には、制御用発電システム２０では、主発電システム１０の制御装置（後述する）の動作を維持するための電力（制御用電力）と主発電システム１０の施設の維持に必要な所内負荷（例えば、照明やエアコンなどの電気負荷）の電力が生成される。
【００２１】
主発電システム１０は、第１の太陽光発電パネル１１ａ、１１ｂ、・・・、１１ｎ、集電ラック１２、パワーコンディショナ（ＰＣＳ）１３ａ、・・・、１３ｍ、変圧器１５、システム制御装置１６、系統連系保護装置１７、遮断機１８を備えている。
【００２２】
第１の太陽光発電パネル１１ａ、１１ｂ、・・・、１１ｎで発電した直流電力が、集電ラック１２を介してパワーコンディショナ（ＰＣＳ）１３ａ、・・・１３ｍに供給される。
【００２３】
図２は、太陽光発電パネル１１ａ等の構成を示す図である。図２に示すように、太陽光発電パネル１１ａは、ｎ個の太陽電池モジュール１１ａ−１１、・・・、１１ａ−１ｎが直列に接続されて１つのストリングを構成し、このストリングをｍ個並列に接続箱１１ａ−Ｃで接続することによりアレイ構成が形成されている。他の太陽光パネル１１ｂ、・・・、１１ｎも同様の構成を有している。なお、太陽電池モジュール１１ａ−１１等を並列接続したものを互いに直列接続して太陽光発電パネル１１ａを構成するようにしてもよい。
【００２４】
また、太陽光発電パネル１１ａ、１１ｂ、・・・１１ｎは、複数を単位としてｍ個にグループ分けされており、各グループ毎に別々に集電ラック１２が接続される。各集電ラック１２には、複数の太陽光発電パネルのそれぞれに含まれる接続箱と、１台のパワーコンディショナが接続されている。例えば、太陽光発電パネル１１ａの接続箱１１ａ−Ｃと太陽光発電パネル１１ｂの接続箱１１ｂ−Ｃが１つの集電ラック１２によって並列に接続され、これら２つの太陽光発電パネル１１ａ、１１ｂの出力が、これらに対応するパワーコンディショナ１３ａに供給されるようになっている。パワーコンディショナ１３ａでは、第１の太陽光発電パネル１１ａ、１１ｂの直流出力が交流出力に変換される。
【００２５】
図３は、パワーコンディショナ１３ａ等の基本的構成を示す図である。図３に示すように、パワーコンディショナ１３ａは、直流−交流変換器（ＤＣ／ＡＣ）１３ａ１、保護継電器１３ａ２、制御装置１３ａ３、冷却ファン（ＦＡＮ）１３ａ４、表示器１３ａ５、分電盤１３ａ６を備えている。他のパワーコンディショナも同様の構成を有している。
【００２６】
直流−交流変換器１３ａ１は、集電ラック１２からの入力される直流（ＤＣ）電圧を三相交流（ＡＣ）に変換する。この三相交流は保護継電器１３ａ２を介して出力される。制御装置１３ａ３は、直流−交流変換器１３ａ１による変換動作を制御する。冷却ファン１３ａ４は、パワーコンディショナ１３ａの筐体（図示せず）に設けられており、直流−交流変換器１３ａ１等で発生した熱を筐体内から外部に放出することで、筐体内に配置された直流−交流変換器１３ａ１等を冷却する。表示器１３ａ５は、パワーコンディショナ１３ａの動作状態を表示する。また、パワーコンディショナ１３ａが屋外に設置されている場合には、エアコンや照明等の付属設備（図示せず）が備わっている場合もある。これら直流−交流変換器１３ａ１、保護継電器１３ａ２、制御装置１３ａ３、冷却ファン１３ａ４、表示器１３ａ５、エアコン、照明等の電源（動作電力）は、制御用発電システム２０から分電盤１３ａ６に取り込まれ、これらの各機器に供給される。
【００２７】
図１に示すように、ｍ台のパワーコンディショナ１３ａ〜１３ｍの交流出力は、電源母線としての交流ブス１４を介して昇圧用の変圧器１５に供給される。なお、図１に示す構成では１台の変圧器１５を示したが、昇圧比が大きい場合には変圧器１５を複数段設けるようにしたもよい。例えば、パワーコンディショナ１３ａ〜１３ｍの出力電圧を４００〜６００Ｖとすると、送電系統への供給電圧である６６ｋＶ以上の超高圧電力に昇圧する場合には、一旦複数の交流ブスおよび複数の中間変圧器で６．６ｋＶに昇圧し、その出力を更に超高圧変圧器で昇圧することが望ましい。
【００２８】
変圧器１５の出力は、系統連系保護装置１７および遮断器１８を介して系統送電線１９に送出される。なお、図１に示す構成では、系統保護装置１７は、変圧器１５と分離して示したが、中間変圧器や超高圧変圧器の保護装置、過電圧継電器、過電流継電器、地絡検出継電器、方向継電器、避雷器等を含み、その配置は各変圧器の前後に設置される。また、電圧計、電流計、電力計、無効電力計、電力取引用計器等も系統連系保護装置１７に付属している。
【００２９】
システム制御装置１６は、主発電システム１０全体のシーケンス制御、パワーコンディショナ１３ａ〜１３ｍの制御、系統連系保護装置１７および遮断機１８等の駆動制御、各種計器の収集監視等、システム全体の運転監視制御を行う。
【００３０】
本実施形態においては、主発電システム１０に含まれるシステム制御装置１６やパワーコンディショナ１３ａ〜１３ｍ等の各構成の電源（動作電力）は、主発電システム１０内の第１の太陽光発電パネル１１ａ〜１１ｎによる発電電力を用いずに、制御用発電システム２０から供給される電力を用いている。
【００３１】
図１において、制御用発電システム２０は、第２の太陽光発電パネル２１、直流−交流変換器（ＤＣ／ＡＣ）２３、直流−直流変換器（ＤＣ／ＤＣ）２４、分電盤２７ａ、２７ｂ、２７ｃ、２７ｄを含んで構成されている。
【００３２】
第２の太陽光発電パネル２１は、主発電システム１０に備わった第１の太陽光発電パネル１０ａ等よりも出力電力量が少ない。この第２の太陽光発電パネル２１で発電した直流電力がブスバー２２を介して直流−交流変換器２３と直流−直流変換器２４に供給される。直流−交流変換器２３は、ブスバー２２を介して入力される直流電圧を交流電圧に変換する。例えば、ＡＣ２１０ＶとＡＣ１１０Ｖの２種類の交流電圧に変換される。また、直流−直流変換器２４は、ブスバー２２を介して入力される直流電圧を値が異なる直流電圧に変換する。例えば、ＤＣ５ＶとＤＣ１００Ｖの２種類の直流電圧に変換される。これらの交流電圧や直流電圧に変換された電力は、分電盤２７ａ、２７ｂ、２７ｃ、２７ｄを介して、主発電システム１０に含まれるシステム制御装置１６、パワーコンディショナ１３ａ〜１３ｍ、系統連系保護装置１７、遮断機１８や所内負荷に供給される。なお、直流−交流変換器２３や直流−直流変換器２４等の制御用発電システム２０内の各構成の動作に必要な電力はブスバー２２から供給される。
【００３３】
このように、本実施形態の太陽光発電システムでは、主発電システム１０とは別に制御用発電システム２０が備わっており、主発電システム１０の制御用電力が変動しても主発電システム１０から取り出して利用可能な出力電力を安定させることができる。また、第２の太陽光発電パネル２１を用いた制御用発電システム２０によって制御用電力を生成しているため、一般電力事業者等、他の発電システムから送電される交流電源を利用する必要がなく、停電時にも確実に制御用電力を確保することができる。また、主発電システム１０の保守点検等を行う場合に必要な電力を制御用発電システム２０から供給することができるため、主発電システム１０による発電を完全に停止させることができる。また、太陽光発電システムを建設する場合において、制御用電力システム２０を先に建設することにより、その出力を主発電システム１０の建設における工事用電力として利用することが可能となり、工事費の上昇を抑えることができる。さらに、発電電力を増加させるために主発電システム１０の設備を増設する場合であっても、制御用発電システム２０はそのまま用いることができるため、主発電システム１０の発電量増加に伴う建設費の上昇を抑えることができる。
【００３４】
また、主発電システム１０による発電を開始する前に、制御用発電システム２０から電力供給を受けたシステム制御装置１６等が制御動作を行うため、主発電システム１０による発電前に不具合の有無を検査することが可能になり、太陽光発電システム全体の安全性を高めることができる。
【００３５】
また、第１の太陽光発電パネル１１ａ等、パワーコンディショナ１３ａ等、変圧器１５、システム制御装置１６、系統連系保護装置１７等を含んで主発電システム１０を構成しており、太陽光発電パネル１１ａ等の出力を、所望の電圧値を有する交流電力に変換して電力系統の系統送電線１９に送出することができるとともに、この交流電力の生成に必要な制御用電力を制御用発電システム２０から供給することが可能となる。
【００３６】
また、制御用電力とともに、変動が大きい施設維持に必要な電気負荷の電力を制御用発電システム２０から供給することにより、主発電システム１０から取り出して利用可能な出力電力をさらに安定させることができる。
【００３７】
また、第２の太陽光発電パネル２１、直流−交流変換器２３、直流−直流変換器２４、分電盤２７ａ等を含んで制御用発電システム２０を構成しており、主発電システム１０において必要な各種電圧値の直流／交流電力を生成することが可能になる。
【００３８】
（変形例１）
ところで、図１に示した実施形態の構成に含まれる制御用発電システム２０は、太陽の日射量が所定レベル以上のときに動作するが、日射量が所定レベル以下となったときや、夜間には動作しないことになる。あるいは、太陽光の日射量は時々刻々変化し、安定した電圧レベルの電力を発生できないこともある。このような状況に対する対処するために、蓄電池を追加したり、電気事業者から電力を入手するようにしてもよい。
【００３９】
図４は、変形例の太陽光発電システムの構成を示すブロック図である。図４に示す変形例の太陽光発電システムは、図１に示した構成に対して、制御用発電システム２０を制御用発電システム２０Ａに置き換えた点が異なっている。また、この制御用発電システム２０Ａは、制御用発電システム２０に対して、充放電制御回路３１と蓄電池３２を追加した点が異なっている。
【００４０】
充放電制御回路３１は、ブスバー２２と蓄電池３２のそれぞれに接続されており、蓄電池３２に対する充放電動作を制御する。具体的には、充放電制御回路３１は、第２の太陽光発電パネル２１による発電量が所定値（例えば、主発電システム１０の制御用電力等として確保する必要がある電力量に相当する値）以上のときに蓄電池３２を充電制御し、第２の太陽光発電パネル２１による発電量が所定値を下回ったときに蓄電池３２を放電制御する。
【００４１】
これにより、太陽の日射量が所定レベル以上のときに、ブスバー２２から供給される電力によって蓄電池３２が充電される。一方、太陽の日射量が所定レベル以下となったときや夜間には、蓄電池３２から出力される電力がブスバー２２に供給され、ブスバー２２から直流−交流変換器２３や直流−直流変換器２４に対して、安定した電圧レベルの電力供給が維持されるため、確実に制御用電力を確保することができる。また、２４時間体制で太陽光発電システム全体の監視や保守を実施することが可能となる。
【００４２】
（変形例２）
図５は、他の変形例の太陽光発電システムの構成を示すブロック図である。図５に示す変形例の太陽光発電システムは、図１に示した構成に対して、制御用発電システム２０を制御用発電システム２０Ｂに置き換えた点が異なっている。また、この制御用発電システム２０Ｂは、制御用発電システム２０に対して、交流−直流変換器（ＡＤ／ＤＣ）３３、変圧器３４、保護継電器３５を追加した点が異なっている。この制御用発電システム２０Ｂでは、一般の電気事業者の配電線３６から供給される低圧の交流電力を取得し、保護継電器３５を介して変圧器３４に入力し、変圧器３４で降圧した交流電力を交流−直流変換器３３で直流電力に変換し、ブスバー２２に供給している。
【００４３】
これにより、太陽の日射量が所定レベル以下となったときや夜間には、一般の電気事業者の配電線３６から取得した電力がブスバー２２に供給され、ブスバー２２から直流−交流変換器２３や直流−直流変換器２４に対して、安定した電圧レベルの電力供給が維持されるため、確実に制御用電力を確保することができる。
【００４４】
（変形例３）
図６は、他の変形例の太陽光発電システムの構成を示すブロック図である。図６に示す変形例の太陽光発電システムは、図１に示した構成に対して、制御用発電システム２０を制御用発電システム２０Ｃに置き換えた点が異なっている。また、この制御用発電システム２０Ｃは、制御用発電システム２０に対して、充放電制御回路３１、蓄電池３２、交流−直流変換器３３、変圧器３４、保護継電器３５を追加した点が異なっている。制御用発電システム２０Ｃは、上述した制御用発電システム２０Ａの構成と制御用発電システム２０Ｂの構成を組み合わせたものである。
【００４５】
これにより、太陽の日射量が所定レベル以上のときに、ブスバー２２から供給される電力によって蓄電池３２が充電される。一方、太陽の日射量が所定レベル以下となったときや夜間には、蓄電池３２から出力される電力がブスバー２２に供給され、ブスバー２２から直流−交流変換器２３や直流−直流変換器２４に対して、安定した電圧レベルの電力供給が維持される。あるいは、一般の電気事業者の配電線３６から取得した電力がブスバー２２に供給され、ブスバー２２から直流−交流変換器２３や直流−直流変換器２４に対して、安定した電圧レベルの電力供給が維持される。夜間等において蓄電池３２からの電力だけでなく、電気事業者の配電線３６からの電力を用いることにより、蓄電池３２の容量を低減して低コスト化を図ることが可能となる。
【００４６】
（変形例４）
図７は、他の変形例の太陽光発電システムの構成を示すブロック図である。図７に示す変形例の太陽光発電システムは、図４に示した構成に対して、制御用発電システム２０Ａを制御用発電システム２０Ｄに置き換えた点が異なっている。また、この制御用発電システム２０Ｄは、制御用発電システム２０Ａに対して接続スイッチ４０を追加した点が異なっている。接続スイッチ４０は、ブスバー２２と主発電システム１０のいずれかの集電ラック１２との接続をオン／オフする。制御用発電システム２０Ｄ内の第２の太陽光発電パネル２１の不具合時や出力低下時に、応急処置として接続スイッチ４０を介して主発電システム１０から電力を補給することが可能となる。
【００４７】
なお、本発明は上記実施形態に限定されるものではなく、本発明の要旨の範囲内において種々の変形実施が可能である。上述した実施形態では、制御用発電システム２０等に直流−交流変換器２３と直流−直流変換器２４の両方を備えたが、必要に応じていずれか一方のみを備えるようにしてもよい。また、制御用発電システム２０等から、主発電システム１０の制御用電力と施設の維持に必要な所内負荷の両方を供給するようにしたが、いずれか一方のみを供給するようにしてもよい。また、図７に示した接続スイッチ４０は、図１に示した制御用発電システム２０、図５に示した制御用発電システム２０Ｂ、図６に示した発電制御システム２０Ｃのいずれかにおいて追加するようにしてもよい。
【産業上の利用可能性】
【００４８】
本発明によれば、主発電システム１０とは別に制御用発電システム２０を備えることにより、主発電システム１０の制御用電力が変動しても主発電システム１０から取り出して利用可能な出力電力を安定させることができる。
【符号の説明】
【００４９】
１０  主発電システム
１１ａ、１１ｂ、・・・、１１ｎ  第１の太陽光発電パネル
１１ａ−Ｃ  接続箱
１２  集電ラック
１３ａ、・・・、１３ｍ  パワーコンディショナ
１３ａ１  直流−交流変換器（ＤＣ／ＡＣ）
１３ａ２  保護継電器
１３ａ３  制御装置
１３ａ４  冷却ファン
１３ａ５  表示器
１３ａ６  分電盤
１４  交流ブス
１５  変圧器
１６  システム制御装置
１７  系統連系保護装置
１８  遮断機
１９  系統送電線
２０、２０Ａ、２０Ｂ、２０Ｃ、２０Ｄ  制御用発電システム
２１  第２の太陽光発電パネル
２３  直流−交流変換器（ＤＣ／ＡＣ）
２４  直流−直流変換器（ＤＣ／ＤＣ）
２７ａ、２７ｂ、２７ｃ、２７ｄ  分電盤
３１  充放電制御回路
３２  蓄電池
３３  交流−直流変換器（ＡＤ／ＤＣ）
３４  変圧器
３５  保護継電器
３６  配電線
４０  接続スイッチ
【図１】
0005748213.tif 000002
【図２】
0005748213.tif 000003
【図３】
0005748213.tif 000004
【図４】
0005748213.tif 000005
【図５】
0005748213.tif 000006
【図６】
0005748213.tif 000007
【図７】
0005748213.tif 000008